【手続補正書】
【提出日】平成20年5月14日(2008.5.14)
【手続補正１】
【補正対象書類名】特許請求の範囲
【補正対象項目名】全文
【補正方法】変更
【補正の内容】
【特許請求の範囲】
【請求項１】
ダウンロード可能なコンテンツを複数のエンタープライズ記憶システム（ＥＳＳ）セルに格納するための方法であって、前記方法は、前記ダウンロード可能なコンテンツと前記ダウンロード可能なコンテンツに対応する特性とをダウンロード・グリッド・マネージャに受信するステップと、前記特性及び記憶ポリシーに基いて前記ダウンロード可能なコンテンツを前記ダウンロード・グリッド・マネージャから前記複数のＥＳＳセルの使用されていない記憶スペースに複製するステップとを含み、前記記憶ポリシーは、前記複数のＥＳＳセルの各々の、前記ダウンロード可能なコンテンツが占めることを許される前記使用されていない記憶スペースの限度を示す、方法。
【請求項２】
前記ダウンロード可能なコンテンツに前記複数のＥＳＳセルにおける優先順位を割り当てるステップであって、前記ダウンロード可能なコンテンツに割り当てられる前記優先順位が前記複数のＥＳＳセルの使用されている記憶スペースに格納されているコンテンツの優先順位より低いステップと、前記複数のＥＳＳセル上の前記ダウンロード可能なコンテンツを前記優先順位及び前記記憶ポリシーの前記限度に基いて管理するステップとを更に含む、請求項１に記載の方法。
【請求項３】
前記複数のＥＳＳセル内での記憶を監視するステップと、前記監視に基いてフィードバックを前記ダウンロード・グリッド・マネージャに供給するステップとを更に含む、請求項２に記載の方法。
【請求項４】
前記監視は前記ＥＳＳセルの各々の中の監視コンポーネントによって実行され、前記フィードバックは、前記監視コンポーネントから前記複数のＥＳＳセルの各々の中のダウンロード・サービスのセットに伝えられ、次に前記ダウンロード・サービスのセットから前記ダウンロード・グリッド・マネージャに伝えられる、請求項３に記載の方法。
【請求項５】
前記監視ステップは、前記複数のＥＳＳセルのうちの１つから前記ダウンロード可能なコンテンツを、前記１つのＥＳＳセルについて前記記憶ポリシーの前記限度が超えられることを前記フィードバックが示しているときに、削除することを含む、請求項３に記載の方法。
【請求項６】
前記ダウンロード可能なコンテンツの前記特性は、前記ダウンロード可能なコンテンツのサイズと前記ダウンロード可能なコンテンツの地理的範囲とから成るグループから選択された少なくとも１つの特性を含む、請求項１に記載の方法。
【請求項７】
前記限度は、前記記憶ポリシーの中で、使用されていない記憶スペースの総量、及び、前記使用されていない記憶スペースの、前記ダウンロード可能なコンテンツにより使用されることが許容される割当量として表される、請求項１に記載の方法。
【請求項８】
前記方法は、前記受信ステップの前に前記複数のＥＳＳセルから前記ダウンロード・グリッド・マネージャにおいて記憶情報を受信するステップを更に含み、前記ダウンロード可能なコンテンツは、更に前記記憶情報に基づいて前記使用されていない記憶スペースに複製される、請求項１に記載の方法。
【請求項９】
前記ダウンロード可能なコンテンツにより使用されているスペースの量を示すフィードバックを前記複数のＥＳＳセルから受信するステップと、前記フィードバック、前記優先順位及び前記記憶ポリシーで示されている前記限度に基いて前記複数のＥＳＳセル上の前記ダウンロード可能なコンテンツを管理するステップとを更に含む、請求項２に記載の方法。
【請求項１０】
ダウンロード可能なコンテンツを複数のエンタープライズ記憶システム（ＥＳＳ）セルに格納するためのシステムであって、前記システムは、前記ダウンロード可能なコンテンツと前記ダウンロード可能なコンテンツに対応する特性とをダウンロード・グリッド・マネージャに受信するための入力受信システムと、前記特性及び記憶ポリシーに基いて前記ダウンロード可能なコンテンツを前記ダウンロード・グリッド・マネージャから前記複数のＥＳＳセルの使用されていない記憶スペースに複製するためのコンテンツ複製システムとを含み、前記記憶ポリシーは、前記複数のＥＳＳセルの各々の、前記ダウンロード可能なコンテンツが占めることを許される前記使用されていない記憶スペースの限度を示す、システム。
【請求項１１】
前記システムは、前記複数のＥＳＳセルにおける優先順位を前記ダウンロード可能なコンテンツに割り当てるための優先順位システムであって、前記ダウンロード可能なコンテンツに割り当てられる前記優先順位が前記複数のＥＳＳセルの使用されている記憶スペースの中に格納されているコンテンツの優先順位より低い優先順位システムと、前記複数のＥＳＳセル上の前記ダウンロード可能なコンテンツを前記優先順位及び前記記憶ポリシーの前記限度に基いて管理するためのコンテンツ管理システムとを更に含む、請求項１０に記載のシステム。
【請求項１２】
前記システムは、前記複数のＥＳＳセルの中の記憶を監視するための監視コンポーネントを更に含み、前記監視に基いてフィードバックが前記ダウンロード・グリッド・マネージャに供給される、請求項１１に記載のシステム。
【請求項１３】
前記複数のＥＳＳセルの各々について、前記フィードバックは、前記監視コンポーネントから前記複数のＥＳＳセルの各々の中のダウンロード・サービスのセットに、次に前記ダウンロード・サービスの前記セットから前記ダウンロード・グリッド・マネージャに伝えられる、請求項１２に記載のシステム。
【請求項１４】
前記コンテンツ管理システムは、前記複数のＥＳＳセルのうちの１つから、この１つのＥＳＳセルについて前記記憶ポリシーの前記限度が超えられることをフィードバックが示すとき、前記ダウンロード可能なコンテンツを削除する、請求項１１に記載のシステム。
【請求項１５】
前記ダウンロード可能なコンテンツの前記特性は、前記ダウンロード可能なコンテンツのサイズと前記ダウンロード可能なコンテンツの地理的範囲とから成るグループから選択された少なくとも１つの特性を含む、請求項１０に記載のシステム。
【請求項１６】
前記限度は、前記記憶ポリシーの中で、使用されていない記憶スペースの総量、及び、前記使用されていない記憶スペースの、前記ダウンロード可能なコンテンツにより使用されることが許容される割当量として表される、請求項１０に記載のシステム。
【請求項１７】
前記入力受信システムは前記複数のＥＳＳセルから記憶情報を更に受信し、前記ダウンロード可能なコンテンツは前記記憶情報に基づいて前記使用されていないスペースに複製される、請求項１０に記載のシステム。
【請求項１８】
ダウンロード可能なコンテンツを複数のエンタープライズ記憶システム（ＥＳＳ）セルに格納されるプログラムであって、前記プログラムは、実行されるとき、前記ダウンロード可能なコンテンツと前記ダウンロード可能なコンテンツに対応する特性とをダウンロード・グリッド・マネージャに受信するためのプログラム・コードと、前記特性及び記憶ポリシーに基いて前記ダウンロード可能なコンテンツを前記ダウンロード・グリッド・マネージャから前記複数のＥＳＳセルの使用されていない記憶スペースに複製するためのプログラム・コードとを含み、前記記憶ポリシーは、前記複数のＥＳＳセルの各々の、前記ダウンロード可能なコンテンツが占めることを許される前記使用されていない記憶スペースの限度を示す、プログラム。
【請求項１９】
ダウンロード可能なコンテンツを複数のエンタープライズ記憶システム（ＥＳＳ）セルに格納するためのアプリケーションを展開するためのシステムであって、前記システムは、前記ダウンロード可能なコンテンツと前記ダウンロード可能なコンテンツに対応する特性とをダウンロード・グリッド・マネージャに受信し、前記特性及び記憶ポリシーに基いて前記ダウンロード可能なコンテンツを前記ダウンロード・グリッド・マネージャから前記複数のＥＳＳセルの使用されていない記憶スペースに複製するように動作することのできるコンピュータ・インフラストラクチャを含み、前記記憶ポリシーは、前記複数のＥＳＳセルの各々の、前記ダウンロード可能なコンテンツが占めることを許される前記使用されていない記憶スペースの限度を示す、システム。
【請求項２０】
前記コンピュータ・インフラストラクチャは、前記ダウンロード可能なコンテンツに前記複数のＥＳＳセルにおける優先順位を割り当てる動作であって、前記ダウンロード可能なコンテンツに割り当てられる前記優先順位が前記複数のＥＳＳセルの使用されている記憶スペース内に格納されているコンテンツの優先順位より低い動作と、前記複数のＥＳＳセル上の前記ダウンロード可能なコンテンツを前記優先順位と、前記記憶ポリシーの前記限度と、前記ダウンロード可能なコンテンツにより占められるスペースの量を示す前記複数のＥＳＳセルから受信されたフィードバックとに基いて管理する動作とを更に実行することができる、請求項１９に記載のシステム。
【請求項２１】
前記コンピュータ・インフラストラクチャは、前記優先順位、前記限度、及び前記フィードバックに基いて前記複数のＥＳＳセルのうちの１つから前記ダウンロード可能なコンテンツを削除することによって前記ダウンロード可能なコンテンツを管理する、請求項２０に記載のシステム。
【請求項２２】
ダウンロード可能なコンテンツを複数のエンタープライズ記憶システム（ＥＳＳ）セルに格納するための、伝播される信号で具体化されるコンピュータ・ソフトウェアであって、前記コンピュータ・ソフトウェアは、下記の機能すなわち、前記ダウンロード可能なコンテンツと前記ダウンロード可能なコンテンツに対応する特性とをダウンロード・グリッド・マネージャに受信する機能と、前記特性及び記憶ポリシーに基いて前記ダウンロード可能なコンテンツを前記ダウンロード・グリッド・マネージャから前記複数のＥＳＳセルの使用されていない記憶スペースに複製する機能とをコンピュータ・システムに実行させる命令を含み、前記記憶ポリシーは、前記複数のＥＳＳセルの各々の、前記ダウンロード可能なコンテンツが占めることを許される前記使用されていない記憶スペースの限度を示す、コンピュータ・ソフトウェア。
【請求項２３】
前記伝播される信号は、前記ダウンロード可能なコンテンツに前記複数のＥＳＳセルにおける優先順位を割り当てる動作であって、前記ダウンロード可能なコンテンツに割り当てられる前記優先順位が前記複数のＥＳＳセルの使用されている記憶スペースに格納されているコンテンツの優先順位より低い動作と、前記複数のＥＳＳセル上の前記ダウンロード可能なコンテンツを前記優先順位と、前記記憶ポリシーの前記限度と、前記ダウンロード可能なコンテンツにより占められるスペースの量を示す前記複数のＥＳＳセルから受信されたフィードバックとに基いて管理する動作とを前記コンピュータ・システムに更に実行させる、請求項２２に記載のコンピュータ・ソフトウェア。
【請求項２４】
伝播される信号は、前記優先順位、前記限度、及び前記フィードバックに基いて前記複数のＥＳＳセルのうちの１つから前記ダウンロード可能なコンテンツを削除することによって前記ダウンロード可能なコンテンツを管理する動作を前記コンピュータ・システムに実行させる、請求項２３に記載のコンピュータ・ソフトウェア。